(57)【特許請求の範囲】
【請求項１】
電柱の腕金に防巣具を取り付ける際に用いられる工具であって、
ホットスティックの先端部に装着するための台座部と、
前記台座部から棒状に延伸し、前記防巣具に設けられている前記腕金への取り付け用の金具を吸着するために先端が着磁された金具吸着部と、
を備えることを特徴とする工具。
【請求項２】
請求項１に記載の工具であって、
前記金具吸着部は、前記ホットスティックの長手方向に対して傾斜するように延伸している
ことを特徴とする工具。
【請求項３】
請求項１又は２に記載の工具であって、
前記金具吸着部の前記先端の面は、前記ホットスティックの長手方向に沿った方向になるように形成されている
ことを特徴とする工具。
【請求項４】
請求項１〜３のいずれかに記載の工具であって、
前記金具吸着部の前記先端を覆うカバー
をさらに備えることを特徴とする工具。
【請求項５】
請求項１〜４のいずれかに記載の工具であって、
前記台座部は、前記ホットスティックに着脱自在に形成されている
ことを特徴とする工具。
【請求項６】
請求項１〜５のいずれかに記載の工具であって、
前記金具吸着部の前記先端には、磁石が装着されている
ことを特徴とする工具。
【請求項７】
請求項１〜５のいずれかに記載の工具であって、
前記金具吸着部は、強磁性体により形成され、
前記金具吸着部の前記先端は、前記強磁性体を磁化することにより着磁されている
ことを特徴とする工具。
【請求項８】
電柱の腕金に防巣具を取り付ける際に用いられる作業棒であって、
絶縁性を有する棒状のホットスティックと、
前記ホットスティックの先端部に装着される台座部と、前記台座部から棒状に延伸し、前記防巣具に設けられている前記腕金への取り付け用の金具を吸着するために先端が着磁された金具吸着部と、を有する工具と、
を備えることを特徴とする作業棒。
【発明の詳細な説明】
【技術分野】
【０００１】
本発明は、工具及び作業棒に関する。
【背景技術】
【０００２】
近年、架空配電線路等の工事は間接活線工法により行なわれることが多い。
【０００３】
間接活線工法では、活線状態のまま、絶縁性を有する棒状のホットスティック（絶縁操作棒）の先端部に各種の工具を装着して構成した作業棒を用いて、ボルトの締結やケーブルの切断等の作業が行われる。
【０００４】
このような間接活線工法に用いられる工具や作業棒については、様々な技術が開発されている（例えば特許文献１参照）。
【先行技術文献】
【特許文献】
【０００５】
【特許文献１】特開平１１−１９１９０６号公報
【発明の概要】
【発明が解決しようとする課題】
【０００６】
ところで、樹木の少ない市街地や野鳥が数多く生息する地域などでは、鳥が電柱の腕金に巣をつくることがある。腕金に巣が作られると、思わぬ停電の原因になったり工事の妨げになったりする。このため、このような電柱に対して、営巣を防ぐための防巣具を腕金に取り付ける工事が行なわれている。  
電柱の腕金に防巣具を取り付ける際には、防巣具に設けられている取り付け用の金具を腕金に仮止めしてからボルト等の締め付け具で締結する。
【０００７】
しかしながら、これらの作業が行われる電柱上には、配電線や電話線等のケーブルが張り巡らされている上、柱上変圧器や開閉器、無線基地局その他様々な柱上設備が設置されており、しかも作業棒を用いての遠隔からの高所作業となるため、作業者の作業姿勢や、他の柱上設備の配置状態、強風や雨天などの天候状態等によっては、取り付け用の金具を操作することが困難な場合がある。  
そのため、電柱の腕金への防巣具の取り付け作業を容易化するための技術が求められている。
【０００８】
本発明は上記課題を鑑みてなされたものであり、電柱の腕金への防巣具の取り付け作業を容易化することを一つの目的とする。
【課題を解決するための手段】
【０００９】
一つの側面に係る工具は、電柱の腕金に防巣具を取り付ける際に用いられる工具であって、ホットスティックの先端部に装着するための台座部と、前記台座部から棒状に延伸し、前記防巣具に設けられている前記腕金への取り付け用の金具を吸着するために先端が着磁された金具吸着部と、を備えることを特徴とする工具。
【００１０】
その他、本願が開示する課題、及びその解決方法は、発明を実施するための形態の欄の記載、及び図面の記載等により明らかにされる。
【発明の効果】
【００１１】
電柱の腕金への防巣具の取り付け作業を容易化することができる。
【図面の簡単な説明】
【００１２】
【図１】ホットスティックに先端工具を装着して構成される作業棒を示す図である。
【図２】ホットスティックを示す図である。
【図３】先端工具を示す図である。
【図４】先端工具の金属操作部を示す図である。
【図５】防巣具が電柱の腕金に取り付けられる様子を示す図である。
【図６】防巣具を示す図である。
【図７】防巣具が腕金に固定される様子を示す図である。
【発明を実施するための形態】
【００１３】
本明細書および添付図面の記載により、少なくとも以下の事項が明らかとなる。
【００１４】
本実施形態に係る作業棒３００を図１に示す。なお図１は作業棒３００の先端部を拡大した図である。本実施形態に係る作業棒３００は、ホットスティック２００の先端部に先端工具（工具）１００を装着することにより構成される。
【００１５】
作業棒３００は、後述するように、防巣具４００を電柱の腕金に取り付ける工事を行う際に使用される。
【００１６】
図１に示すように、作業棒３００は、ホットスティック２００と先端工具１００とを有して構成されている。詳細は後述するが、作業棒３００は、ホットスティック２００の先端部に形成されている連結ピン２１１を先端工具１００に形成されている連結ピン固定部１３２にはめ込み、ロックナット２２０をロック方向に回転させることで、先端工具１００とホットスティック２００とを結合させることにより構成される。
【００１７】
ホットスティック２００の全体構成を図２に示す。ホットスティック２００は、略円筒形状の棒であり、先端工具装着部（先端部）２１０と、ロックナット２２０と、水切りつば２３０と、絶縁棒２４０と、グリップ２５０と、を有して構成されている。
【００１８】
グリップ２５０は、作業者により把持される部分である。  
また絶縁棒２４０は、絶縁性を有する樹脂製の棒である。  
水切りつば２３０は、ホットスティック２００の表面を水滴が流下してきた場合に、この水滴がグリップ２５０に到達するのを防止する。
【００１９】
先端工具装着部２１０は、先端工具１００が装着される部分である。先端工具装着部２１０は略円筒形状であり、先端工具装着部２１０の外側面には、半径方向に突出するように、先端工具１００と結合するための連結ピン２１１が形成されている。
【００２０】
ロックナット２２０は、ホットスティック２００の中心軸の周りを回転可能に構成されている。ロックナット２２０を回転させると、ホットスティック２００の延伸方向にロックナット２２０を移動させることができる。
【００２１】
先端工具装着部２１０の連結ピン２１１が先端工具１００の連結ピン固定部１３２に装着された状態でロックナット２２０をロック方向に回転させると、ロックナット２２０は先端工具１００に近付く方向に移動し、先端工具１００とホットスティック２００との結合が強化される。逆に、ロックナット２２０を解除方向に回転させると、ロックナット２２０は先端工具１００から遠ざかる方向に移動し、先端工具１００とホットスティック２００との結合が緩められる。
【００２２】
なお本実施形態に係るホットスティック２００は、絶縁棒２４０が樹脂で形成されているので軽量であり、片手でも作業を行うことが可能である。
【００２３】
次に本実施形態に係る先端工具１００の外観構成を図３及び図４に示す。先端工具１００は、ホットスティック２００の先端工具装着部２１０に装着される略円筒形の台座部１２０と、台座部１２０の上面から棒状に延伸する金具吸着部１１０と、を有して構成されている。
【００２４】
台座部１２０は、ホットスティック２００に装着される側の底面を開口させた略円筒形状の部位である。また台座部１２０の側面には、底面の開口から連続するように略Ｔ字型に開口するスリット（連結ピン用スリット１３０）が形成されている。
【００２５】
連結ピン用スリット１３０は、連結ピン挿入部１３１と連結ピン固定部１３２とからなる。  
連結ピン挿入部１３１は、台座部１２０の底面から上面に向けて台座部１２０の側面を切り込むように開口すると共に、さらに左右に分岐して円筒の側面を円周方向に切り込むように開口する略Ｔ字型のスリットである。  
連結ピン固定部１３２は、連結ピン挿入部１３１の左右に分岐した開口の両端部において、台座部１２０の底面に向かう方向に開口を広げるように形成される部分である。
【００２６】
金具吸着部１１０は、台座部１２０から棒状に延伸し、先端が着磁された部位である。金具吸着部１１０は、台座部１２０の上面から棒状に延伸する延伸部１１２と、延伸部１１２の先端部において磁力を発生する磁力発生部１１１とを備えて構成されている。
【００２７】
また金具吸着部１１０は、ホットスティック２００の長手方向に対して傾斜するように延伸している。例えば延伸部１１２は、図４に示すように、先端工具１００がホットスティック２００に装着された場合にホットスティック２００の延伸方向（長手方向）に沿う方向（Ｃ１）に延伸すると共に、延伸部１１２の先端部の近傍が上記ホットスティック２００の延伸方向（Ｃ１）に対して傾斜した方向（Ｃ２）に延伸するように形成されている。図４に示す例では、延伸部１１２は角度Ａ１だけ屈曲するように構成されている。これにより、作業棒３００を用いる際の作業性を向上させることが可能となる。
【００２８】
そして延伸部１１２の先端部には、金属を吸着可能な磁力を発生する磁力発生部１１１が形成されている。磁力発生部１１１は磁石等の磁性部材により構成される。
【００２９】
なお延伸部１１２が鉄やコバルト、ニッケル等の強磁性体により形成される場合には、延伸部１１２の先端部を磁化することにより磁力発生部１１１を形成するようにしてもよい。
【００３０】
また図４に示すように、金具吸着部１１０の先端の面がホットスティック２００の延伸方向（Ｃ１)に沿った方向になるように、磁力発生部１１１の先端面が、延伸部１１２の先端部の延伸方向（Ｃ２）に対して、角度Ａ２だけ傾斜する方向を向くように形成されていてもよい。つまりこの場合、先端工具１００は、延伸部１１２の屈曲角度Ａ１と、金具吸着部１１０の先端面の傾斜角度Ａ２とを組み合わせることで、金具吸着部１１０の先端面の向きがホットスティック２００の延伸方向に沿った方向を向くように形成される。これにより作業棒３００を用いる際の作業性を向上させることが可能となる。
【００３１】
また本実施形態に係る先端工具１００は、台座部１２０及び延伸部１１２が例えばアルミの削りだし加工等により形成されると共に、延伸部１１２の先端部に強磁性体あるいは磁石等により形成した磁力発生部１１１を装着することにより形成される。このような構成にすることにより、先端工具１００を軽量に形成することができる。そして先端工具１００をホットスティック２００に装着して形成される作業棒３００を軽量化することも可能となる。
【００３２】
次に、先端工具１００をホットスティック２００の先端部に装着することにより作業棒３００を構成し、電柱５００の腕金５１０に防巣具４００を装着する際にこの作業棒３００を使用する様子を図５に示す。また腕金５１０に装着される防巣具４００の外観構成を図６に示す。
【００３３】
図５に示すように、腕金５１０は角柱形状であり、水平方向に延伸するように電柱５００に取り付けられている。図５には示していないが、腕金５１０には、配電線や碍子、開閉器等の様々な柱上設備が取り付けられている。
【００３４】
次に図６に示すように、防巣具４００は、防巣用ツリー４１０と、腕金固定部４２０と、を有して構成されている。
【００３５】
防巣用ツリー４１０は、鉛直方向に延伸する支持棒４１１と、支持棒４１１から放射状に多段に装着される防巣枝４１２とを有して構成されている。  
防巣用ツリー４１０は、支持棒４１１から柔軟性を有する樹脂製の防巣枝４１２を放射状に広げるように構成されており、カラスや鳩などの野鳥が防巣用ツリー４１０の近傍に近寄ってくることができないように構成されている。またこれらの野鳥が腕金５１０に営巣しようとして、木の枝などの巣の材料を腕金５１０上に落下させた場合には、防巣枝４１２がこれらの巣の材料を周囲にはじくため、腕金５１０への営巣が防止される。また防巣枝４１２は柔軟性を有する樹脂により構成されているため、防巣枝４１２に鳥がとまることも困難である。
【００３６】
腕金固定部４２０は、防巣具４００を電柱５００の腕金５１０に取り付けるための金具である。  
腕金固定部４２０は、第１固定アーム（第１金具）４２１と第２固定アーム（第２金具）４２５とを有して構成されている。
【００３７】
第１固定アーム４２１は、防巣用ツリー４１０の支持棒４１１に固定される支軸固定部４２３と、支軸固定部４２３から水平方向に延伸すると共に下方に屈曲する板状の第１固定具４２２と、を備えて構成されている。  
また第１固定具４２２は、支軸固定部４２３から水平方向に延伸する第１延伸部４２２Ａと、第１延伸部４２２Ａの先端から下方に延伸する第２延伸部４２２Ｂと、を有するように形成されている。そして第２延伸部４２２Ｂには、切欠き溝４２４が形成されている。
【００３８】
一方第２固定アーム４２５は、第１延伸部４２２Ａに遊動自在に装着され、下方に延伸した後、水平方向に屈曲するように形成される棒状の第２固定具４２６と、第２固定具４２６に貫通されるようにして第２固定具４２６に装着される金属板４２７と、ボルト４２８と、ワッシャー４２９と、を備えて構成される。  
第２固定具４２６は、第１延伸部４２２Ａに遊動自在に装着され、下方に延伸する第３延伸部４２６Ａと、第３延伸部４２６Ａの先端から水平方向に延伸する第４延伸部４２６Ｂと、を有するように形成されている。
【００３９】
図５に示すように、防巣具４００を腕金５１０に取り付ける際には、作業員の一人（不図示）が防巣具４００の第２延伸部４２２Ｂをやっとこ６００で挟持し、腕金５１０の下方の電柱５００上の足場、あるいは高所作業車のゴンドラから、防巣具４００を持ちあげて、まず水平方向に延伸する第１延伸部４２２Ａを腕金５１０の上面に沿わせ、下方に延伸する第２延伸部４２２Ｂを腕金５１０の側面（腕金５１０の上面に交差する第１側面）に沿わせるようにして、防巣具４００を腕金５１０に載置する。
【００４０】
そして、もう一人の作業員（不図示）が、腕金５１０の下方の電柱５００上の足場、あるいは高所作業車のゴンドラから、本実施形態に係る作業棒３００を用いて、第２固定アーム４２５の金属板４２７を作業棒３００の先端に形成されている金具吸着部１１０に吸着させる。
【００４１】
そして、金属板４２７を金具吸着部１１０に吸着させたまま作業棒３００を移動させることで、第１延伸部４２２Ａから遊動自在に下方に延伸する第３延伸部４２６Ａを腕金５１０の第２側面（上記第１側面と相対する側面）に沿わせ、水平方向に延伸する第４延伸部４２６Ｂを腕金５１０の下面（腕金５１０の上面に相対する）に沿わせた後、金属板４２７を第２延伸部４２２Ｂとワッシャー４２９及びボルト４２８との間に挟みこむようにしながら、第２延伸部４２２Ｂに形成されている切欠き溝に第４延伸部４２６Ｂを挿入する。
【００４２】
そしてその状態で金具吸着部１１０を金属板４２７から外し、やっとこ６００や間接ラチェット等の他の作業棒を用いてボルト（締め付け具）４２８を締め付けることにより、金属板４２７を第２延伸部４２２Ｂに押しつけるようにして結合する。
【００４３】
これにより、防巣具４００が腕金５１０に取り付けられる。防巣具４００が腕金５１０に取り付けられている様子を図７に示す。
【００４４】
なお防巣具４００の腕金５１０への取り付け作業は、上記のように二人で行っても良いし、一人で行うことも可能である。
【００４５】
以上のように、本実施形態に係る作業棒３００及びこの作業棒３００の先端部に設けられる先端工具１００によれば、防巣具４００を腕金５１０に装着するための取り付け用の金具を磁力により吸着することで操作することが可能になるので、金具を操作する際の作業負担が軽減し、腕金５１０への防巣具４００の取り付け作業を容易化することが可能になる。
【００４６】
特に、このような作業が行われる電柱５００上には、配電線や電話線等のケーブルが張り巡らされている上、柱上変圧器や開閉器、無線基地局その他様々な柱上設備が設置されており、しかも作業棒３００を用いての遠隔からの不安定な高所作業となるが、本実施形態に係る作業棒３００や先端工具１００によれば、金具の向きや作業者の作業位置、金具を把持する場所、金具との干渉等の影響を受けずに容易に金具を移動することが可能になるので、作業負担を大きく軽減するとともに、作業の安全性を向上させることが可能になる。
【００４７】
また本実施形態に係る先端工具１００は、ホットスティック２００へ着脱可能に構成されているので、作業終了後に先端工具１００をホットスティック２００から取り外し、間接ラチェット等の他の先端工具へ交換を行うことも容易に行なうことができる。
【００４８】
また本実施形態に係る作業棒３００は、絶縁やっとこ等に比べて軽量であるので、片手でも作業を行うことが可能であり、作業性を向上させることができる。
【００４９】
また、作業棒３００の先端部に装着される先端工具１００の金具吸着部１１０は、金具吸着部１１０の先端部の近傍がホットスティック２００の延伸方向に対して傾斜した方向（例えば図４に示す角度Ａ１）に延伸するように形成されている。
【００５０】
これにより、腕金５１０の下方から防巣具４００の取り付け作業を行う際には、金具吸着部１１０の先端面を金属板４２７に向かい合わせることが容易になるため、磁力発生部１１１と金属板４２７との接触面積を増大させ、より強固に金属板４２７を作業棒３００に吸着することが可能となる。このため、作業棒３００を用いて金属板４２７を操作している間に、金属板４２７を作業棒３００の金具吸着部１１０から外れにくくすることができるので、腕金５１０への防巣具４００の取り付け作業をより一層容易化することが可能になる。
【００５１】
またさらに、図４を参照しながら説明した様に、金具吸着部１１０の先端面の向きがホットスティック２００の延伸方向（Ｃ１)に沿った方向に、金具吸着部１１０の先端面が、延伸部１１２の先端部の延伸方向（Ｃ２）に対して、角度Ａ２だけ傾斜する方向を向くように形成されていてもよい。
【００５２】
これにより、腕金５１０の下方から防巣具４００の取り付け作業を行う際に、金具吸着部１１０の先端面を金属板４２７に向かい合わせることがさらに容易になるため、金具吸着部１１０と金属板４２７との接触面積を増大させ、より強固に金属板４２７を作業棒３００に吸着することが可能となる。
【００５３】
また金具吸着部１１０の先端部は、磁力を発生するための磁石を延伸部１１２に装着あるいは接着することにより構成されていてもよい。これにより、本実施形態に係る先端工具１００及び作業棒３００を、容易に製作することが可能となる。
【００５４】
なお延伸部１１２が鉄やニッケル、コバルト等の強磁性体により形成される場合には、延伸部１１２の先端部を磁化することにより磁力発生部１１１を形成するようにしてもよい。これにより、磁力発生部１１１を延伸部１１２と一体的に形成することができるため、先端工具１００をより強固に製造することか可能となる。
【００５５】
また金具吸着部１１０の先端部に、この先端部を覆うようにカバーが装着されているように構成してもよい。  
このカバーにより、例えば作業中に誤って作業員が金具吸着部１１０に接触し、怪我をするような事故を防止することが可能となる。あるいは、金具吸着部１１０が鉄等の強磁性体で形成されている場合には、さびを防止することも可能である。なおこのカバーは、金具吸着部１１０の先端部を覆うように巻回するビニールテープにより簡易的に構成しても良い。
【００５６】
なお上述した実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【００５７】
１００    先端工具
１１０    金具吸着部
１１１    磁力発生部（磁石）
１１２    延伸部
１２０    台座部
１３０    連結ピン用スリット
１３１    連結ピン挿入部
１３２    連結ピン固定部
２００    ホットスティック
２１０    先端工具装着部
２１１    連結ピン
２２０    ロックナット
２３０    水切りつば
２４０    絶縁棒
２５０    グリップ
３００    作業棒
４００    防巣具
４１０    防巣用ツリー
４１１    支持棒
４１２    防巣枝
４２０    腕金固定部
４２１    第１固定アーム（第１金具）
４２２    第１固定具
４２２Ａ  第１延伸部
４２２Ｂ  第２延伸部
４２３    支軸固定部
４２４    切欠き溝
４２５    第２固定アーム（第２金具）
４２６    第２固定具
４２６Ａ  第３延伸部
４２６Ｂ  第４延伸部
４２７    金属板
４２８    ボルト
４２９    ワッシャー
５００    電柱
５１０    腕金
６００    やっとこ
【要約】
【課題】電柱の腕金への防巣具の取り付け作業を容易化する。
【解決手段】電柱の腕金に防巣具を取り付ける際に用いられる工具であって、ホットスティックの先端部に装着するための台座部と、前記台座部から棒状に延伸し、前記防巣具に設けられている前記腕金への取り付け用の金具を吸着するために先端が着磁された金具吸着部と、を備えることを特徴とする工具。また、電柱の腕金に防巣具を取り付ける際に用いられる作業棒であって、絶縁性を有する棒状のホットスティックと、前記ホットスティックの先端部に装着される台座部と、前記台座部から棒状に延伸し、前記防巣具に設けられている前記腕金への取り付け用の金具を吸着するために先端が着磁された金具吸着部と、を有する工具と、を備えることを特徴とする作業棒。
【選択図】図１【図１】
0005425999.tif 000002
【図２】
0005425999.tif 000003
【図３】
0005425999.tif 000004
【図４】
0005425999.tif 000005
【図５】
0005425999.tif 000006
【図６】
0005425999.tif 000007
【図７】
0005425999.tif 000008